(57)【要約】【課題】外装部品の背後に配置される線状体を保持するクリップが取り付けられる支持部を補強用のリブにより構成することで、外装部品の剛性を高めるリブを利用しながら外装部品からのクリップの食み出しを防止して外装部品の外観性を向上させると共に、線状体の振動に起因する荷重が作用する支持部の剛性を高める。【解決手段】車両のバンパ１のバンパフェース２は長細い横バー10を有する。横バー10は、前面視で、横バー10の上下方向に沿って延びるリブ11を背面に有する。バンパフェース２において、その背後に配置されるワイヤハーネスＣを保持するクリップ20が取り付けられる支持部はリブ11により構成される。横バー10の上下方向での幅Ｗｂは、クリップ20の挟持部21の上下方向での最大幅とワイヤハーネスＣの最大幅との和である所定幅以下である。クリップ20およびワイヤハーネスＣは、前面視で横バー10から食み出していない。【選択図】図１
2008114664.tif 000002
【特許請求の範囲】
【請求項１】
車体に装備される外装部品と、前記外装部品の背後に配置される線状体と、前記外装部品の背面に設けられた支持部に固定されると共に前記線状体を保持するクリップとを備える車両であって、前記クリップは、前記クリップを前記支持部に取り付けるための取付部と、前記取付部に一体に結合されて前記線状体を保持する保持部とを有する車両において、
前記外装部品は、前記外装部品を外側から見るときに前記線状体が前記外装部品に隠れて見えない方向から見ることを外面視としたとき、前記外面視で前記外装部品の長手方向に直交する方向に沿って延びる補強用のリブを前記背面に有し、前記支持部は前記リブにより構成され、前記取付部は、前記リブを前記長手方向で挟持する１対の挟持体を有する挟持部であり、前記保持部は、前記外面視で、前記挟持部の背後に位置することを特徴とする車両。
【請求項２】
車体に装備される外装部品と、前記外装部品の背後に配置される線状体と、前記外装部品の背面に設けられた支持部に固定されると共に前記線状体を保持するクリップとを備える車両であって、前記クリップは、前記クリップを前記支持部に取り付けるための取付部と、前記取付部に一体に結合されて前記線状体を保持する保持部とを有する車両において、
前記外装部品は、前記外装部品に設けられた開口を横切る長細い長尺部を有し、前記外装部品を外側から見るときに前記長尺部の背後に配置される線状体が前記長尺部に隠れて見えない方向から見ることを外面視としたとき、前記長尺部は、前記外面視で前記長尺部の長手方向に直交する方向に沿って延びると共に該直交方向での両端部を連結する補強用のリブを背面に有し、前記支持部は前記リブにより構成され、前記長尺部における前記直交方向での幅は、前記リブに取り付けられた前記取付部における前記直交方向での最大幅と前記保持部での前記線状体における前記直交方向での最大幅との和である所定幅以下であり、前記クリップは、前記外面視で前記長尺部から食み出していないことを特徴とする車両。
【請求項３】
前記取付部は前記リブを前記長手方向で挟持する挟持部であり、前記長尺部は背後に向かって開放する凹部を形成し、前記リブおよび前記挟持部は前記凹部内に配置されることを特徴とする請求項２記載の車両。
【請求項４】
前記線状体は、前記保持部においてその過半が前記直交方向で前記取付部と重なる位置で保持されることを特徴とする請求項１から３のいずれか１項記載の車両。
【発明の詳細な説明】
【技術分野】
【０００１】
本発明は、車体に装備される外装部品の背後に配置されるワイヤハーネスなどの線状体を保持するクリップを備える車両に関し、該外装部品は、例えばバンパである。
【背景技術】
【０００２】
車体に装備される細長い外装部品（例えばバンパ）に、外装部品の外側から見えないように外装部品の背後に配置される線状体（例えばワイヤハーネス）と、外装部品の背面に設けられた支持部に取り付けられて線状体を保持するクリップとを備える車両は知られている。（例えば、特許文献１参照）
また、車体の前部に配置されるエンジンまたはラジエータを冷却するなどの目的で走行風を車体内に取り入れるために、外装部品（例えばバンパ）に前後方向に開放する開口が設けられることがある。そして、外装部品に開口が設けられる場合に、外装部品が、該開口を車幅方向に横切って延びている細長い長尺部を有するものも知られている（例えば、特許文献２参照）。
【特許文献１】特開２００４−２７８６８２号公報
【特許文献２】特開平１０−３２４２０６号公報（図２）
【発明の開示】
【発明が解決しようとする課題】
【０００３】
とろこで、細長い外装部品（例えばバンパ）を、外面から見たとき、該外装部品の長手方向に直交する方向（例えば上下方向）での外装部品の幅が小さくされる場合がある。
また、開口を横切る長尺部を有する外装部品（例えばバンパ）において、線状体（例えばワイヤハーネス）の短縮化により該線状体の軽量化や組付性の向上を図るために、線状体が長尺部を迂回して配置されることなく、長尺部の背後に線状体が長尺部の長手方向に沿って配置される場合がある。
前述のいずれの場合にも、例えば前面から見たとき、外装部品または長尺部は、その長手方向に直交する方向である上下方向での幅が小さいので、線状体が外装部品または長尺部から食み出さないようにするために、外装部品または長尺部の背面に設けられてクリップの取付部が取り付けられる支持部は、外装部品または長尺部において、上下方向での端部である下端部または上端部の近傍に設けられることが普通である。
このような場合、線状体は外装部品または長尺部から食み出さないものの、特に、取付部が支持部に上下方向から取り付けられるクリップでは、クリップの取付部が外装部品または長尺部の下端部または上端部から食み出すことがある。そして、このような外装部品を前面から見ると、外装部品または長尺部から食み出したクリップの取付部が見えるために、外装部品の外観性、ひいては車両の外観性が低下する。
また、長手方向に延びる線状体は、車体から伝達される振動により、長手方向でのクリップの両側において上下方向に振れることがある。ところが、長手方向に沿って平板状に延びている支持部においては、上下方向への曲げ変形に対する剛性が小さいため、線状体のこの上下方向での振れにより、支持部に曲げ変形が発生しやすく、さらには支持部付近で、外装部品または長尺部にも曲げ変形が発生しやすい。
【０００４】
本発明は、このような事情に鑑みてなされたものであり、請求項１〜４記載の発明は、長細い外装部品の背後または外装部品の細長い長尺部の背後に配置される線状体を保持するクリップが取り付けられる支持部を外装部品または長尺部の補強用のリブにより構成することで、外装部品の剛性または長尺部の剛性を高める前記リブを利用しながらクリップが外装部品または長尺部から食み出すことを防止して外装部品の外観性を向上させると共に、長手方向に直交する方向での線状体の振動に起因する荷重が作用する支持部の剛性を高めることを目的とする。そして、請求項３，４記載の発明は、さらに、直交方向での幅が小さい外装部品の外観性または長尺部を有する外装部品の外観性を一層向上させることを目的とする。
【課題を解決するための手段】
【０００５】
請求項１記載の発明は、車体に装備される外装部品と、前記外装部品の背後に配置される線状体と、前記外装部品の背面に設けられた支持部に固定されると共に前記線状体を保持するクリップとを備える車両であって、前記クリップは、前記クリップを前記支持部に取り付けるための取付部と、前記取付部に一体に結合されて前記線状体を保持する保持部とを有する車両において、前記外装部品は、前記外装部品を外側から見るときに前記線状体が前記外装部品に隠れて見えない方向から見ることを外面視としたとき、前記外面視で前記外装部品の長手方向に直交する方向に沿って延びる補強用のリブを前記背面に有し、前記支持部は前記リブにより構成され、前記取付部は、前記リブを前記長手方向で挟持する１対の挟持体を有する挟持部であり、前記保持部は、前記外面視で、前記挟持部の背後に位置する車両である。
請求項２記載の発明は、車体に装備される外装部品と、前記外装部品の背後に配置される線状体と、前記外装部品の背面に設けられた支持部に固定されると共に前記線状体を保持するクリップとを備える車両であって、前記クリップは、前記クリップを前記支持部に取り付けるための取付部と、前記取付部に一体に結合されて前記線状体を保持する保持部とを有する車両において、前記外装部品は、前記外装部品に設けられた開口を横切る長細い長尺部を有し、前記外装部品を外側から見るときに前記長尺部の背後に配置される線状体が前記長尺部に隠れて見えない方向から見ることを外面視としたとき、前記長尺部は、前記外面視で前記長尺部の長手方向に直交する方向に沿って延びると共に該直交方向での両端部を連結するリブを背面に有し、前記支持部は前記リブにより構成され、前記長尺部における前記直交方向での幅は、前記リブに取り付けられた前記取付部における前記直交方向での最大幅と前記保持部での前記線状体における前記直交方向での最大幅との和である所定幅以下であり、前記クリップは、前記外面視で前記長尺部から食み出していない車両である。
請求項３記載の発明は、請求項２記載の車両において、前記取付部は前記リブを前記長手方向で挟持する挟持部であり、前記長尺部は背後に向かって開放する凹部を形成し、前記リブおよび前記挟持部は前記凹部内に配置されるものである。
請求項４記載の発明は、請求項１から３のいずれか１項記載の車両において、前記線状体は、前記保持部においてその過半が前記直交方向で前記取付部と重なる位置で保持されるものである。
【発明の効果】
【０００６】
請求項１記載の発明によれば、外装部品は、その長手方向に対する直交方向に沿って延びる補強用のリブにより剛性が高められる。そして、クリップにおいては、挟持部の１対の挟持体が直交方向に沿って延びる該リブを長手方向で挟むことによりリブに固定されるので、外面視で、クリップの取付部である挟持部が外装部品から食み出すことが防止され、しかも保持体が挟持部の背後に結合されていることにより、線状体が挟持部の背後に配置されるので、外面視で線状体が外装部品から食み出すことが防止される。このように、外装部品の剛性を高めるリブを利用しながらクリップが外装部品から食み出すことが防止されて外装部品の外観性が向上し、ひいては車両の外観性が向上する。さらに、長手方向に延びる線状体が車体から伝達される振動により直交方向に振動し、該振動に起因する荷重がリブに作用する場合にも、リブが直交方向に沿って延びていることから、クリップが取り付けられる支持部の剛性が高いので、該荷重による支持部および該支持部付近の外装部品の曲げ変形が少なくなって、支持部および外装部品の耐久性が向上する。
請求項２記載の発明によれば、長尺部は、その長手方向に対する直交方向に沿って延びると共に直交方向での両端部を連結する補強用のリブにより剛性が高められる。そして、直交方向での幅が所定幅以下である長細い長尺部の背後に配置される線状体を保持するクリップが取り付けられる支持部が該リブにより構成されることで、長尺部の背後に配置されるクリップおよび線状体が、外面視で、長尺部から食み出すことがないので、長尺部の剛性を高めるリブを利用しながらクリップが長尺部から食み出すことが防止されて外装部品の外観性が向上し、ひいては車両の外観性が向上する。さらに、長手方向に延びる線状体が車体から伝達される振動により直交方向に振動し、該振動に起因する荷重がリブに作用する場合にも、リブが直交方向に沿って延びていることから、クリップが取り付けられる支持部の剛性が高いので、該荷重による支持部および該支持部付近の長尺部の曲げ変形が少なくなって、支持部および長尺部の耐久性が向上する。
請求項３記載の事項によれば、クリップの挟持部が長尺部の凹部内に配置されるので、挟持部が凹部内に位置する分、挟持部に一体に結合される保持部が、凹部に近づくかまたは凹部内に一層入り込むので、線状体およびクリップが、一層広い範囲での外面視で、長尺部から食み出すことがなく、直交方向での幅が小さい長尺部を有する外装部品の外観性が一層向上する。
請求項４記載の事項によれば、クリップにおいて線状体および取付部が直交方向でコンパクトに配置されるので、線状体およびクリップが、一層広い範囲での外面視で、外装部品または長尺部から食み出すことがなく、直交方向での幅が小さい外装部品または長尺部を有する外装部品の外観性が一層向上する。
【発明を実施するための最良の形態】
【０００７】
以下、本発明の実施形態を図１〜図７を参照して説明する。
図１〜図３を参照すると、本発明が適用された車両は、外装部品としてのフロント側バンパ１が装備された車体と、該バンパ１に取り付けられる電装部品としてのランプに接続されるワイヤハーネスＣと、バンパ１の後述するバンパフェース２の背面に着脱可能に固定されるクリップ20とを備える。クリップ20は、バンパ１を外側から見たときバンパフェース２の背後に配置される線状体としてのワイヤハーネスＣを保持する。
車体の一部分としての前部（以下、「車体前部」という。）は、該車体前部に配置されたエンジンが収容されるエンジンルームを形成する。
【０００８】
車幅方向に長細いバンパ１は、車体前部において車体フレームに支持されるバンパビーム（図示されず）と、バンパビームに取り付けられるバンパフェース２とから構成される。車幅方向に長細いバンパフェース２は、前記エンジンルームに走行風を冷却用の空気として取り入れるための前後方向に開放する開口３が設けられた本体２ａと、車幅方向に長細い開口３を車幅方向に横切って延びている長細い長尺部としての横バー10と、バンパフェース２の前面視で（すなわち、バンパ１またはバンパフェース２を前方から見たときに）横バー10の長手方向Ａ０に直交する方向である第１の直交方向Ａ１に沿って延びていて横バー10と本体２ａとを連結する連結部としての縦バー２ｂとを有し、これら本体２ａ、横バー10および縦バー２ｂが一体成形された合成樹脂製の部材である。
本体２ａを前後方向に貫通して設けられた孔から構成される開口３は、横バー10により上下方向に複数の開口３ａ，３ｂに分けられる。
この実施形態では、横バー10の長手方向Ａ０は車幅方向であり、直交方向Ａ１は上下方向である。
【０００９】
クリップ20に保持されたワイヤハーネスＣは、バンパフェース２の前面視で、横バー10の背後に、横バー10から食み出さないように、長手方向Ａ０に沿って配置される。それゆえ、前面視は、バンパ１またはバンパフェース２を外側から見るときに横バー10の背後に配置されるワイヤハーネスＣが横バー10に隠れて見えない方向から見ることを意味する外面視に含まれる。そして、前面視で、横バー10が配置されている範囲内では、ワイヤハーネスＣの全体が、該横バー10により目隠しをされる。
【００１０】
図４を併せて参照すると、横バー10は、その背面10ｉに、横バー10の剛性を高めるために上下方向に沿って延びている複数の補強用のリブ11，12を有する。具体的には、横バー10は、長手方向Ａ０に直交する平面Ｈでの断面が、前端部13が閉じていて閉塞端を構成し、後端部14が後方（または背後）に向かって開放する開放端を構成する凹形状を有する形材により構成される。それゆえ、横バー10は後方（または背後）に向かって開放する凹部17を形成する。また、横バー10の下端部16は、長手方向Ａ０でのリブ11の位置に対応して、各リブ11付近で局部的に後方に突出する突出部16ａを有する。
【００１１】
長手方向Ａ０に間隔をおいて横バー10に一体成形されて設けられる複数のリブ11，12のうちの一部の複数のリブ11は、それぞれ、横バー10の上端部15および下端部16を連結すると共に横バー10の背面10ｉに沿って連続的に延びており、かつ長手方向Ａ０に直交する平面Ｈに沿う平板状の部材である。各リブ11は、前面視で、上下方向に延びているといい得る範囲で、上下方向に対して平行またはやや傾斜していてもよい。換言すれば、各リブ11は、前面視で上下方向にほぼ平行であり、また平面Ｈにほぼ平行である。
【００１２】
ここで、部材における上下方向での上部（または上端部）および下部（または下端部）の一方を上下方向での一方部分（または一端部）とするとき、上部（または上端部）および下部（または下端部）の他方は上下方向での他方部分（または他端部）である。また、前後方向は、長手方向Ａ０から見て上下方向（すなわち、前述のように第１の直交方向Ａ１である。）に直交する第２の直交方向Ａ２であり、部材における前後方向での前部（または前端部）および後部（または後端部）の一方を前後方向での一方部分（または一端部）とするとき、前部（または前端部）および後部（または後端部）の他方は、前後方向での他方部分（または他端部）である。
【００１３】
図１〜図４，図６を参照すると、クリップ20は、該クリップ20を支持する横バー10の一部分である支持部（以下、「支持部」という。）を構成するリブ11に対してクリップ20を取り付けるための取付部としての挟持部21と、挟持部21に一体に結合されてワイヤハーネスＣを保持する保持部26とを有する。
【００１４】
図４〜図７を参照すると、挟持部21は、長手方向Ａ０でリブ11を挟持する１対の板状の挟持体22と、各挟持体22の基部22ｂ同士を連結する連結部25とから構成される。そして、１対の挟持体22は、１対の外枠部23と、１対の外枠部23の一方の外枠部23の先端部23ａから連結部25を経て他方の外枠部23の先端部23ａまで挟持部21の内側に沿って配置される弾発部材としての板バネ24とを有する。１対の外枠部23、連結部25および保持部26は、一体成形された合成樹脂製の部材である。ここで、前面視で、基部22ｂは各挟持体22の背後部であり、連結部25は挟持部21の背後部である。
【００１５】
そして、両外枠部23にインサートされて固着された板バネ24の両端部24ａが板バネ24の弾発力によりリブ11を長手方向Ａ０で挟圧することにより、１対の挟持体22がリブ11を挟持してクリップ20がリブ11に固定される。また、両先端部23ａは、リブ11へのクリップ20の差込時に、長手方向Ａ０でのリブ11の両側面に沿って１対の挟持部21を案内するガイド部を構成する。この１対の先端部23ａにより、リブ11へのクリップ20の取付けが容易になる。
【００１６】
保持部26は、リブ11に対して抜き差しされるクリップ20の着脱方向（この実施形態では前後方向でもある。）において挟持部21の基部25に隣接して並んで設けられる。この保持部26は、ワイヤハーネスＣをその周囲または外側から締め付ける締付部としてのバンド27と、ワイヤハーネスＣを締め付けた状態でバンド27を係止する係止部28とから構成される。バンド27はワイヤハーネスＣの周囲に巻回されて、係止部28の挿入空間29に挿入された状態で、係止部28の鋸歯状の歯から構成される緩止め部28ａによりバンド27が緩むことが防止される。そして、挿入空間29を貫通したバンド27は、挿入空間29から適当な長さだけ突出した位置で切断される（図２，図５参照）。
【００１７】
図４，図５を参照すると、クリップ20がリブ11に取り付けられた状態で、横バー10において、局部的な凹凸などを除いた主要部分における上下方向での幅Ｗｂ（この実施形態では、横バー10における上下方向での最小幅でもある。）（図１も参照）は、挟持部21における上下方向での最大幅Ｗａおよび保持部26でのワイヤハーネスＣの上下方向での最大幅Ｗｃの和である所定幅以下であり、この実施形態では、最大幅Ｗｂは前記所定幅よりも小さい。また、最大幅Ｗｂは、クリップ20における上下方向での最大幅Ｗｅと最大幅Ｗｃとの和よりも小さい。
さらに、クリップ20がリブ11に取り付けられた状態で、ワイヤハーネスＣは、保持部26においてその過半、この実施形態では、その全体が、上下方向で挟持部21と重なる位置で保持される。
この結果、上下方向で、挟持部21、連結部25および保持部26の全体が、上下方向で横バー10と重なる位置にある。それゆえ、リブ11を挟持した１対の挟持体22の全体は、上下方向で、横バー10の範囲内に位置する。
【００１８】
また、挟持部21は、前後方向で、挟持部21の過半および連結部25の過半、この実施形態では挟持部21の全体および連結部25の全体が、さらに保持部26の一部が、下端部16の突出部16ａおよび上端部15と重なる位置にある。したがって、挟持部21はその全体が、上方から上端部15により覆われ、下方から突出部16ａにより覆われており、挟持部21の全体、したがって１対の挟持体22の全体は、リブ11と共に凹部17内に配置される。このため、保持部26は、リブ11および挟持部21の背後に位置して、リブ11の後端部11ｂの近傍に位置する。より具体的には、保持部26は、挟持部21の最大幅Ｗｅの半分の距離よりも後端部11ｂに近接して位置する。そして、保持部26の全体は、前後方向で、リブ11の後端部11ｂから、幅Ｗｂに等しい距離だけ離れた位置よりも、横バー10の前端部13寄り、リブ11寄りまたは挟持部21寄りに位置する。
【００１９】
次に、前述のように構成された実施形態の作用および効果について説明する。
車両のバンパ１のバンパフェース２は開口３を横切る長細い横バー10を有し、バンパフェース２を外側から見るときに横バー10の背後に配置されるワイヤハーネスＣが横バー10に隠れて見えない方向から見ることを外面視としたとき、横バー10は、外面視としての前面視で横バー10の長手方向Ａ０に直交する方向Ａ１である上下方向に沿って延びると共に上下方向での両端部である上端部15および下端部16を連結するリブ11を背面10ｉに有し、バンパフェース２の背後に配置されるワイヤハーネスＣを保持するクリップ20が取り付けられる支持部はリブ11により構成され、横バー10における上下方向での幅は、リブ11に取り付けられた挟持部21の最大幅ＷａとワイヤハーネスＣの最大幅Ｗｃとの和である前記所定幅以下であり、バンパフェース２の背後に配置されるワイヤハーネスＣを保持するクリップ20およびワイヤハーネスＣは、前面視で横バー10から食み出していない。
これにより、横バー10は、上下方向に沿って延びると共に上端部15および下端部16を連結するリブ11により剛性が高められる。また、クリップ20においては、挟持部21の、連結部25で連結された１対の挟持体22が、上下方向に沿って延びる該リブ11を長手方向Ａ０で挟むことによりリブ11に固定されるので、前面視で、クリップ20の取付部である挟持部21が横バー10から、したがってバンパフェース２から食み出すことが防止され、しかも保持部26が挟持部21の連結部25の背後に結合されていることにより、ワイヤハーネスＣが挟持部21の連結部25の背後でリブ11の後端部11ｂの近傍に配置されるので、前面視で、ワイヤハーネスＣが横バー10から、したがってバンパフェース２から食み出すことが防止される。そして、上下方向での幅Ｗｂが前記所定幅以下である長細い横バー10の背後に配置されるワイヤハーネスＣを保持するクリップ20が取り付けられる支持部がリブ11により構成されることで、横バー10の背後に配置されるクリップ20およびワイヤハーネスＣが、前面視で、横バー10から食み出すことがないので、横バー10の剛性を高めるリブ11を利用しながらクリップ20が横バー10から食み出すことが防止されてバンパフェース２の外観性が向上し、ひいては車両の外観性が向上する。さらに、長手方向Ａ０に延びるワイヤハーネスＣが、長手方向Ａ０でのクリップ20間または各クリップ20の両側で車体から伝達される振動により上下方向に振動し、該振動に起因する荷重がリブ11に作用する場合にも、リブ11が上下方向に沿って延びていることから、クリップ20が取り付けられる支持部の剛性が高いので、該荷重による支持部および該支持部付近である横バー10の突出部16ａの曲げ変形が少なくなって、支持部および横バー10の耐久性が向上する。
【００２０】
クリップ20の前記取付部はリブ11を長手方向Ａ０で挟持する挟持部21であり、横バー10は背後に向かって開放する凹部17を形成し、リブ11および挟持部21は凹部17内に配置されることにより、クリップ20の挟持部21が横バー10の凹部17内に配置されるので、挟持部21が凹部17内に位置する分、挟持部21に一体に結合される保持部26が、凹部17に近づくかまたは凹部17内に一層入り込んで、前端部13に一層近づくように配置され、そして保持部26はリブ11の後端部11ｂの近傍に位置するので、ワイヤハーネスＣおよびクリップ20が、一層広い範囲（または広い角度）での前面視で、横バー10から食み出すことがなく、上下方向での幅が小さい横バー10を有するバンパフェース２の外観性が一層向上する。そして、挟持部21の全体が凹部17内に位置することで、この効果が一層高められる。
【００２１】
ワイヤハーネスＣは、クリップ20の保持部26においてその過半、ここではその全体が上下方向で挟持部21と重なる位置で保持されることにより、クリップ20においてワイヤハーネスＣおよび挟持部21が上下方向でコンパクトに配置されるので、ワイヤハーネスＣおよびクリップ20が、一層広い範囲（または広い角度）での前面視で、横バー10から食み出すことがなく、上下方向での幅Ｗｂが小さい横バー10を有するバンパフェース２の外観性が一層向上する。
【００２２】
以下、前述した実施形態の一部の構成を変更した実施形態について、変更した構成に関して説明する。
前述した実施形態では、バンパに取り付けられたランプにワイヤハーネスＣが接続されるものであったが、これには限定されず、外装部品またはその周辺に配置される他の電装部品（例えば外気温センサなどの各種センサ類）にワイヤハーネスＣが接続されるものであってもよい。
線状体は、ワイヤハーネス以外の電線、または空気や水などの流体が流通する導管であってもよく、さらに線状の部材であればどのような部品であってもよい。
車体に装備される長細い外装部品は、横バーを有しないフロント側のバンパであってもよく、また車体の一部分としての後部に装備されるリア側のバンパであってもよく、さらにバンパ以外の部品または部品であってもよい。また、外装部品は、上下方向に細長い部材であってもよい。
クリップは、挟持部21またはバンド27を有していないものであってもよく、例えばクリップの取付部は、前記支持部に設けられた孔に挿入される軸状の挿入部により構成されてもよい。
外装部品がフロント側のバンパである場合、エンジンが車体後部に配置され、エンジン部品としてのラジエータが車体前部に配置された車両であってもよい。
開口３は、本体２ａに設けられた切欠きにより構成されてもよい。
バンパフェースは複数の横バーを有していて、それぞれの横バーの背後に線状体が配置されてもよい。
図４に二点鎖線で示されるように、前後方向で、保持部26の過半が、横バー10の上端部15１および下端部16１の少なくとも一方と重なるように構成されて、保持部26の過半が、上端部15１により上方から、または下端部16１により下方から覆われてもよい。これにより、クリップ20の大部分が横バー10により覆われて、バンパフェース２の外観性が向上する。
外面視には、車体における外装部品の位置に応じて、前述の前面視のほかに、外装部品を、それぞれ、後方から見たときの後面視、車幅方向から見たときの側面視、上方から見たときの平面視が含まれる。
リブは、直交平面にほぼ平行でなく、上下方向にほぼ平行であってもよい。
【図面の簡単な説明】
【００２３】
【図１】本発明が適用された車両のバンパのバンパフェースを、前方から前方向に平行に見たときの要部前面部である。
【図２】図１のバンパフェースの背後からの要部斜視図である。
【図３】図１のバンパフェースにクリップが取り付けられる前の図２と同様の斜視図である。
【図４】図１のＩＶ−ＩＶ線での要部断面図である。
【図５】図４のクリップの平面図であり、横バーの要部を図４のＶ−Ｖ線での断面で示す図である。
【図６】図４のクリップがワイヤハーネスを保持する前の全体の形状を示し、（ａ）は平面図であり、（ｂ）は側面図である。
【図７】図６のクリップの要部斜視図である。
【符号の説明】
【００２４】
２…バンパフェース、10…横バー、11…リブ、20…クリップ、21…挟持部、26…保持部、
Ｃ…ワイヤハーネス、Ａ０…長手方向、Ａ１，Ａ２…直交方向、Ｗａ，Ｗｂ，Ｗｃ，Ｗｅ…幅。
【図１】
2008114664.tif 000003
【図２】
2008114664.tif 000004
【図３】
2008114664.tif 000005
【図４】
2008114664.tif 000006
【図５】
2008114664.tif 000007
【図６】
2008114664.tif 000008
【図７】
2008114664.tif 000009